(57)【要約】      （修正有）【課題】刃部と柄部が金属で一体の包丁のデザイン性に優れ、かつ、柄部の表面側に設けた加飾層を取れ難くする包丁を提供する。【解決手段】刃部１１０と柄部１２０が金属で一体に形成されている包丁１００において、柄部１２０の表面に設けられているプライマー処理層と、プライマー処理層の表面に塗装された加飾用塗装材の表面を少なくとも１００度以上の温度で加熱処理して形成されている加飾層とを備える。加飾層は、塗り位置に応じて膜厚差が異なる薄膜部と厚膜部とからなる手塗感加飾部を有する。【選択図】図１
0003225519.tif 000002
【実用新案登録請求の範囲】
【請求項１】
刃部と柄部が金属で一体に形成されている包丁において、
前記柄部に塗装された加飾用塗装材を加熱処理して形成されている加飾層を備える
包丁。
【請求項２】
前記加飾層は、前記加飾用塗装材を少なくとも１００度以上の温度で加熱処理して形成される
請求項１に記載の包丁。
【請求項３】
前記柄部の表面にプライマー処理層を有しており、
前記プライマー処理層は、プライマー塗料を前記柄部の表面に塗布して形成されたものである
請求項１又は２に記載の包丁。
【請求項４】
前記加飾層は、
前記加飾用塗装材を加熱処理して形成される第１加飾層と、
前記第１加飾層の表面に塗装された他の加飾用塗装材を加熱処理して形成される第２加飾層と、を含む
請求項１〜３の何れか１項に記載の包丁。
【請求項５】
前記加飾層は、塗り位置に応じて膜厚が異なる薄膜部と厚膜部とからなる手塗感加飾部を有する
請求項１〜４の何れか１項に記載の包丁。
【請求項６】
前記手塗感加飾部は、前記薄膜部の表面と前記厚膜部の表面とが面一である
請求項５に記載の包丁。
【請求項７】
前記加飾用塗装材は、ウレタン樹脂塗料である
請求項１〜６の何れか１項に記載の包丁。
【請求項８】
前記包丁の前記柄部は、前記加飾層の表面側を覆う表面保護層を更に備える
請求項１〜７の何れか１項に記載の包丁。
【請求項９】
前記表面保護層は、抗菌塗料を含む
請求項８に記載の包丁。
【考案の詳細な説明】
【技術分野】
【０００１】
本考案は、包丁に関する。
【背景技術】
【０００２】
調理用の包丁やナイフでは、リベット型や差し込み型のような刃部と柄部が別体のものと、刃部と柄部が一体に形成されているものがある。刃部と柄部が金属等で一体に形成されているものは、リベット型や差し込み型のものと比べると、刃部と柄部の結合部に汚れ等が溜まり難いので、衛生面で好ましいものとなっている。刃部と柄部が一体型のナイフの衛生効果を高め、かつ、ナイフごとに識別性を与える調理用のナイフとして、柄部に抗菌剤を含有した色分け可能な塗膜が設けられているナイフがある（例えば、特許文献１）。
【先行技術文献】
【特許文献】
【０００３】
【特許文献１】実用新案登録第３０４０４２７号公報
【考案の概要】
【考案が解決しようとする課題】
【０００４】
しかしながら、金属製の柄部の表面を加飾する各種色彩や模様等からなるデザインを施した加飾層は、調理等の使用時や食器洗浄機での洗浄時における摩擦や熱により剥離することがあった。このため、デザイン性に優れた加飾層を刃部と柄部が金属で一体の包丁（ナイフ）の柄部の表面に設ける際に、加飾層を取れ難くすることが望まれる。
【０００５】
本考案は、上記課題に鑑みてなされたものであり、刃部と柄部が金属で一体の包丁のデザイン性に優れ、かつ、柄部の表面側に設けた加飾層を取れ難くすることを目的とする。
【課題を解決するための手段】
【０００６】
本考案の一態様は、刃部と柄部が金属で一体に形成されている包丁において、前記柄部に塗装された加飾用塗装材を加熱処理して形成されている加飾層を備える。
【０００７】
本考案の一態様によれば、金属製の柄部に塗装された加飾用塗装材の表面を加熱処理して形成されている加飾層を設けることによって、デザイン性に優れる加飾層を金属製の柄部から取れ難くすることができる。
【０００８】
本考案の一態様では、前記加飾層は、前記加飾用塗装材の前記表面を少なくとも１００度以上の温度で加熱処理して形成されることとしてもよい。
【０００９】
このようにすれば、金属製の柄部の表面にプライマー層を介して塗装された加飾用塗装材の表面を少なくとも１００度以上の温度で加熱処理して形成されている加飾層を設けることによって、デザイン性に優れる加飾層を金属製の柄部からより取れ難くすることができる。
【００１０】
本考案の一態様では、前記柄部の表面にプライマー処理層を有しており、前記プライマー処理層は、プライマー塗料を前記柄部の表面に塗布して形成されていることとしてもよい。
【００１１】
このようにすれば、プライマー塗料を柄部の表面に塗布することによってプライマー層が設けられるので、柄部から取れ難い加飾層を効率的に形成できるようになる。
【００１２】
本考案の一態様では、前記加飾層は、前記加飾用塗装材を加熱処理して形成される第１加飾層と、前記第１加飾層の表面に塗装された他の加飾用塗装材を加熱処理して形成される第２加飾層と、を含む。
【００１３】
このようにすれば、デザイン性に優れる加飾層をより安定させた状態でプライマー層を介して金属製の柄部の表面に定着できるようになる。
【００１４】
本考案の一態様では、前記加飾層は、塗り位置に応じて膜厚が異なる薄膜部と厚膜部とからなる手塗感加飾部を有することとしてもよい。
【００１５】
このようにすれば、加飾層に施されたデザインの独創性と質感を高めて、よりデザイン性に優れたものとすることができる。
【００１６】
本考案の一態様では、前記手塗感加飾部は、前記薄膜部の表面と前記厚膜部の表面とが面一であることとしてもよい。
【００１７】
このようにすれば、加飾層に施されたデザインの美観性を高めて、よりデザイン性に優れたものとすることができる。
【００１８】
本考案の一態様では、前記加飾用塗装材は、ウレタン樹脂塗料であることとしてもよい。
【００１９】
このようにすれば、デザイン性に優れる加飾層を柄部の表面側にプライマー層を介して容易に設けられるようになる。
【００２０】
本考案の一態様では、前記包丁の前記柄部は、前記加飾層の表面側を覆う表面保護層を更に備えることとしてもよい。
【００２１】
このようにすれば、デザイン性に優れた加飾層の表面を保護することができる。
【００２２】
本考案の一態様では、前記表面保護層は、抗菌塗料を含むこととしてもよい。
【００２３】
このようにすれば、デザイン性に優れた上で更に衛生面で優れた包丁とすることができる。
【考案の効果】
【００２４】
以上説明したように本考案によれば、刃部と柄部が金属で一体の包丁のデザイン性に優れ、かつ、柄部の表面側に設けた加飾層を取れ難くすることができる。
【図面の簡単な説明】
【００２５】
【図１】本考案の一実施形態に係る包丁の概略構成を示す平面図である。
【図２】図１のＡ−Ａ線断面図である。
【図３】本考案の一実施形態に係る包丁の柄部の表面にプライマー処理層を介して設けられる加飾層の模様の一例を示す平面図である。
【図４】図３のＢ−Ｂ線断面図である。
【図５】一実施形態に係る包丁の製造方法の要部の概略を示すフロー図である。
【考案を実施するための形態】
【００２６】
以下、本考案の好適な実施の形態について詳細に説明する。なお、以下に説明する本実施形態は、特許請求の範囲に記載された本考案の内容を不当に限定するものではなく、本実施形態で説明される構成の全てが本考案の解決手段として必須であるとは限らない。また、本明細書及び特許請求の範囲に「第１」、「第２」と記載する場合、それらは、発明の異なる構成要素を区別するために用いるものであり、特定の順序や優劣等を示すために用いるものではない。
【００２７】
本考案の一実施形態に係る包丁の構成について、図面を使用しながら説明する。図１は、本考案の一実施形態に係る包丁の概略構成を示す平面図であり、図２は、図１のＡ−Ａ線断面図である。
【００２８】
本考案の一実施形態に係る包丁１００は、図１に示すように、刀身となる刃部１１０と刃部１１０を支持する柄部１２０とを備える。本実施形態の包丁１００は、刃部１１０と柄部１２０が鋼鉄又はステンレス鋼等の金属で一体物として形成されている。
【００２９】
本実施形態の包丁１００は、図２に示すように、刃部１１０と一体に形成されている柄部１２０の表面にプライマー処理層１３０を介して加飾層１４０が設けられ、この加飾層１４０の表面が表面保護層１５０で被覆したものとなっている。このように、柄部１２０の表面にプライマー処理層１３０を介して加飾層１４０が形成されることにより、外観上の高級感や美観を有するデザイン性に優れた包丁１００が形成されるようになる。
【００３０】
プライマー処理層１３０は、金属製の柄部１２０の地金（柄部本体）の表面に積層される加飾用塗装材の密着性を高めるために設けられている。本実施形態では、プライマー処理層１３０は、プライマー塗料を柄部１２０の表面に塗布して形成されている。プライマー塗料としては、例えば、水性ポリオレフィン系樹脂、水性ポリウレタン樹脂、水性ポリエステル樹脂、水性アクリル樹脂等の基体樹脂、ブロックポリイソシアネート化合物、メラミン樹脂等の架橋剤及び水等を主成分とし、これにさらに必要に応じてレオロジーコントロール剤、有機溶剤、着色顔料、体質顔料、導電顔料、防食顔料、顔料分散剤、可塑剤等、通常、塗料の分野で用いられる塗料用添加剤を含有させたものを挙げることができる。これらの塗料用添加剤は、それぞれ単独で又は２種以上組み合わせて使用することができる。
【００３１】
なお、本実施形態では、プライマー処理層１３０は、柄部１２０の地金（柄部本体）の表面にプライマー塗料を塗布することによって形成されているが、基材となる柄部１２０の表面に加飾層１４０を構成する加飾用塗装材の付着を促進する態様となっていれば、他の態様としてもよい。例えば、研磨紙、研磨布、ワイヤブラシ、サンダー、サンドブラスティング等を用いて柄部１２０の表面を研削して、凹凸形状を有するようになった表面を本考案における「プライマー処理層」の一態様として定義して、加飾用塗装材の接着性を高めるようにしてもよい。
【００３２】
加飾層１４０は、プライマー処理層１３０を介して柄部１２０の表面に塗装された加飾用塗装材（塗料）を加熱処理して形成した硬化層にて形成されている。具体的には、加飾層１４０は、ウレタン樹脂塗料等の加飾用塗装材をプライマー処理層１３０の表面に所望のデザインとなるように塗装してから、塗装した加飾用塗装材を少なくとも１００度以上の温度で加熱処理して形成されている。
【００３３】
本実施形態では、加飾層１４０は、プライマー処理層１３０の表面に塗装された第１の加飾用塗装材を少なくとも１００度以上の温度で加熱処理して形成される第１加飾層１４１と、第１加飾層１４１の表面に塗装された第２の加飾用塗装材を少なくとも１００度以上の温度で加熱処理して形成される他の加飾層となる第２加飾層１４２と、を含む２層構造となっている。なお、本実施形態では、加飾層１４０は、２層構造となっているが、単層としても、又は３層以上の多層構造としてもよい。
【００３４】
加飾層１４０の表面側には、プライマー処理層１３０を介して加飾層１４０で覆われた柄部１２０の表面を腐食や摩耗等から保護するために、表面保護層１５０が設けられている。本実施形態の表面保護層１５０は、無色透明の仕上層として形成されている。本実施形態の表面保護層１５０は、ホタテ貝殻粉、抗菌剤、又は漆等の抗菌成分が含まれる抗菌塗料を塗布することによって構成されている。なお、表面保護層１５０を外表面とせず、加飾層１４０が外表面となるように構成することもできる。この場合には、例えば、第１加飾層１４１、第２加飾層１４２に抗菌剤を含有させることで抗菌仕様としてもよい。
【００３５】
次に、本考案の一実施形態に係る包丁１００の柄部１２０を構成する基材１３０に設けられる加飾層１４０の詳細について、図面を使用しながら説明する。図３は、本考案の一実施形態に係る包丁１００の柄部１２０の表面にプライマー処理層１３０を介して設けられる加飾層１４０の模様の一例を示す平面図であり、図４は、図３のＢ−Ｂ線断面図である。なお、図３及び図４では、加飾層１４０の詳細な説明をするために、加飾層１４０のみを抜粋した説明図となっている。
【００３６】
本実施形態では、柄部１２０の表面側に設けられる加飾層１４０は、例えば、図３に示すように、ライトチーク、ダークチーク、ビンテージ白木、ビンテージ赤木等の木目模様のデザインが漆職人等の手塗で施されることによって構成されている。加飾層１４０のデザインは、木目模様に限定されず、錆曙、錆根来、錆金、錆銀、錆銅等の漆器の伝統工芸の表面塗装で使用されるような表面デザインとしてもよい。また、加飾層１４０は、包丁１００の識別を容易にするために、各種カラーのウレタン樹脂塗料等の加飾用塗装材を塗布したもので構成されてもよい。
【００３７】
加飾層１４０は、漆職人等の匠の技術を活かしながら柄部１２０の表面に設けられたプライマー処理層１３０の表面に加飾用塗装材を手塗によって塗装することで手塗層を形成してから、その表面を少なくとも１００℃以上の温度で加熱処理して形成される。
【００３８】
このため、本実施形態では、加飾層１４０（１４１、１４２）は、図４に示すように、塗り位置に応じて膜厚が異なる薄膜部１４１ａ１、１４２ａ１と厚膜部１４１ａ２、１４２ａ２とからなる手塗感加飾部１４１ａ、１４２ａを有する。また、本実施形態の手塗感加飾部１４１ａ、１４２ａは、薄膜部１４１ａ１、１４２ａ１の表面と厚膜部１４１ａ２、１４２ａ２の表面とが面一となっている。
【００３９】
なお、図４では、薄膜部１４１ａ１、１４２ａ１の表面と厚膜部１４１ａ２、１４２ａ２の表面が面一である加飾層１４０の部分を拡大して図示しているが、加飾層１４０には、それらの表面が面一でなく、傾斜部や段差部を有して加飾層１４０の表面が凹凸面である構成としてもよい。加飾層１４０をこのような凹凸面を有する構成とすることによって、表面が外観的に及び触感的に木製等の素材感のある加飾層１４０（及び表面保護層１５０）とすることができる。
【００４０】
また、本実施形態では、柄部１２０の表面が緩やかな曲面の態様となっているが、柄部１２０の表面に凹凸面が形成されているような場合にも、加飾層１４０を設けることが可能である。すなわち、凹凸面を有する柄部１２０の表面にプライマー処理層１３０を介して漆職人等が手塗でウレタン樹脂塗料等の加飾用塗装材を所望のデザインとなるように塗布して、加飾層１４０を形成することもできる。
【００４１】
次に、一実施形態に係る包丁１００の製造方法について、図面を使用しながら説明する。図５は、一実施形態に係る包丁１００の製造方法の概略を示すフロー図である。なお、図５では、一実施形態の包丁１００の製造方法の特徴部となる柄部の表面のプライマー処理から表面保護層の被覆までの各工程を取り上げている。
【００４２】
前述したように、本実施形態では、包丁１００の柄部１２０が刃部１１０と同じ金属製であり、柄部１２０が刃部１１０と一体に形成されて構成される。このため、本実施形態では、柄部１２０の表面に加飾層１４０を構成する加飾用塗装材の付着を促進するために、柄部１２０の表面にプライマー処理を行う（工程Ｓ１）。具体的には、柄部１２０の表面にプライマー塗料をエアスプレー、エアレススプレー、回転霧化塗装、カーテンコート塗装等の方法により塗布して、プライマー処理層１３０を形成する。
【００４３】
次に、プライマー処理層１３０の表面にウレタン樹脂塗料等の第１の加飾用塗装材を塗装して第１手塗層を形成する（工程Ｓ２）。本実施形態では、漆職人等の手塗作業によって、例えば、木目模様、錆曙、錆根来、錆金、錆銀、錆銅等の所望のデザインとなるように、プライマー処理層１３０を介して柄部１２０の表面塗装が行われる。
【００４４】
その後、プライマー処理層１３０の表面に塗装された加飾用塗装材（第１手塗層）を加熱処理する(工程Ｓ３)。本実施形態では、少なくとも１００℃以上の温度で加飾用塗装材をプレヒートやエアブロー等によって加熱処理して、第１加飾層１４１が形成されるようになる。
【００４５】
第１加飾層１４１が形成されたら、他の加飾用塗装材となる第２の加飾用塗装材を第１加飾層１４１の表面に塗装して第２手塗層を形成する（工程Ｓ４）。本実施形態では、漆職人等の手塗作業によって第１加飾層１４１と合わさることで、木目模様、錆曙、錆根来、錆金、錆銀、錆銅等の所望のデザインが形成されるように、手塗作業が行われる。
【００４６】
その後、第１加飾層１４１の表面に塗装された第２の加飾用塗装材（第２手塗層）の表面を加熱処理する(工程Ｓ５)。本実施形態では、少なくとも１００℃以上の温度で第２の加飾用塗装材をプレヒートやエアブロー等によって加熱処理して、第２加飾層１４２が形成されるようになる。
【００４７】
本実施形態では、第１加飾層１４１に加飾層１４０の最外層を構成する第２加飾層１４２を積層して形成することで、加飾層１４０が形成される。しかしながら、その他の実施形態として、例えば、第２加飾層１４２の表面を部分的に研磨することで、第２加飾層１４２の表面内に第１加飾層１４１の表面を部分的に露出させるような海島構造の加飾面（加飾層１４０の表面）として構成することもできる。
【００４８】
第２加飾層１４２が形成されたら、表面保護層１５０を第２加飾層１４２の表面に被覆させる（工程Ｓ６）。本実施形態では、ホタテ貝殻粉、抗菌剤、又は漆等の抗菌成分が含まれる抗菌塗料を漆職人等の手塗で塗布してから乾燥させることによって表面保護層１５０が設けられる。その後、前述した工程Ｓ１〜工程Ｓ６を経て形成された柄部１２０の表面処理や洗浄等の後処理を行って、包丁１００が製造される。
【００４９】
次に、本考案の一実施形態に係る包丁１００の作用・効果について説明する。
【００５０】
本実施形態の包丁１００は、包丁１００の柄部１２０が刃部１１０と同じ金属製であり、柄部１２０が刃部１１０と一体に形成されて構成される。このため、木製の柄部の包丁の課題として挙げられている柄部の内部に水分や細菌等の侵入による腐食等による衛生面での課題や、長期使用による摩耗による耐久面での課題が解決されるようになる。
【００５１】
本実施形態では、鋼鉄又はステンレス鋼等の金属からなる柄部１２０の表面にプライマー処理層１３０を介してウレタン樹脂塗料等の加飾用塗装材を所望のデザインとなるように塗装して加飾が行われる。これによって、基材となる柄部１２０の表面にプライマー処理層１３０を介して所望のデザインを施した加飾層１４０が設けられるようになる。このため、耐腐食性及び耐摩耗性を確保した上でデザイン性に優れた好適な機能美を有する柄部１２０を備える包丁１００の生産を効率的に行えるようになる。
【００５２】
また、本実施形態では、柄部１２０の表面にプライマー処理層１３０を介して手塗で加飾用塗装材を塗装して加飾層１４０が形成されるので、小ロットでもデザイン性の優れたオリジナルの包丁１００の柄部１２０を効率的に生産できるようになる。このため、大量生産される包丁１００の商品の定番ラインナップ以外にも、特別注文による独自の形状及びカラーを有する包丁１００の１個からの注文に対応して、独創的で優れたデザイン性を有する包丁１００の生産も容易に行えるようになる。
【００５３】
特に、本実施形態では、漆職人等が匠の技術で所望のデザインとなるように手塗作業で加飾用塗装材を精巧に塗装している。このため、例えば、ライトチーク、ダークチーク、ビンテージ白木、ビンテージ赤木等の木目模様のデザインを漆職人等の手塗作業で樹脂製の基材の表面に施すことによって、外観上の高級感や美観を有する木製の質感を限りなく再現しながらも、包丁１００の耐腐食性や耐久性等の性能を金属レベルに高めることができる。
【００５４】
また、本実施形態では、加飾層１４０のデザインとして、木目模様や錆曙、錆根来、錆金、錆銀、錆銅等の漆器の伝統工芸の表面塗装で使用されるような表面デザイン以外にも、例えば、赤、青、黄、緑等の各種カラーのウレタン樹脂塗料等の加飾用塗装材を塗布したデザインとしてもよい。このため、例えば、肉切断用の包丁と野菜切断用の包丁と言ったような使用用途に応じて柄部１２０のカラーを複数種類に分けることによって、包丁１００の識別を容易に行えるようになる。
【００５５】
さらに、本実施形態では、加飾層１４０は、塗り位置に応じて膜厚が異なる薄膜部１４１ａ１、１４２ａ１と厚膜部１４１ａ２、１４２ａ２とからなる手塗感加飾部１４１ａ、１４２ａを有するものとなる。このため、加飾層１４０に施されたデザインの独創性と質感を高めて、よりデザイン性に優れたものとすることができる。
【００５６】
また、手塗感加飾部１４１ａ、１４２ａは、薄膜部１４１ａ１、１４２ａ１の表面と厚膜部１４１ａ２、１４２ａ２の表面とが面一であるので、加飾層１４０に施されたデザインの美観性を高めて、よりデザイン性に優れたものとすることができる。一方、手塗感加飾部１４１ａ、１４２ａは、薄膜部１４１ａ１、１４２ａ１の表面と厚膜部１４１ａ２、１４２ａ２の表面とを敢えて面一としないで、凹凸面を有する構成として、木製等の素材感を出すようにしてもよい。すなわち、使用者の好みに応じて、包丁１００の表面の質感を適宜変えることができる。
【００５７】
さらに、本実施形態では、加飾層１４０は、ウレタン樹脂塗料等の加飾用塗装材を少なくとも１００度以上の温度で加熱処理して形成されている。このため、金属製の柄部１２０の表面にプライマー処理層１３０を介して加飾用塗装材を塗装してから、少なくとも１００度以上の温度で加熱処理して形成されている加飾層１４０を設けることによって、デザイン性に優れる加飾層１４０を取れ難くして耐久性を高めることができる。また、加飾層１４０を形成する過程で加飾用塗装材を少なくとも１００℃以上に加熱処理するので、加飾用塗装材に含まれるシンナー等の揮発性ガスが匂いごと取り除かれるようになる。
【００５８】
特に、本実施形態では、加飾層１４０を第１加飾層１４１と第２加飾層１４２の２層構造にして、それぞれの加飾層１４１、１４２を少なくとも１００℃以上の温度で加熱処理している。このため、デザイン性に優れる加飾層１４０をより安定させた状態で柄部１２０の表面に定着するようになるので、調理等の使用時や食器洗浄機による洗浄時における摩擦や熱により剥離し難くなって、耐摩耗性、耐久性を有する加飾層１４０とすることができる。
【００５９】
また、本実施形態の包丁１００は、加飾層１４０の表面側が抗菌塗料を含む表面保護層１５０で覆われている。このため、デザイン性に優れた加飾層１４０の表面を腐食や摩耗等から保護して、デザイン性に優れた上に、更に包丁１００の柄部１２０の表面が抗菌機能を有するようになるので、衛生面でも優れた包丁１００とすることができる。
【００６０】
このように、本実施形態では、包丁の生産技術と、長い歴史を誇る伝統工芸品の漆器の匠の技術を融合させて、個を大切にする時代のニーズに沿った独創的でデザイン性に優れた包丁１００を効率的に生産できるようになる。また、デザイン性に優れた包丁１００の柄部１２の表面に施したデザインの耐久性、耐摩耗性を高めながら、包丁１００の柄部１２０の耐腐食性、包丁１００の堅牢化を図って、機能性を向上させることができる。
【００６１】
なお、上記のように本考案の各実施形態について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００６２】
例えば、明細書又は図面において、少なくとも一度、より広義又は同義な異なる用語と共に記載された用語は、明細書又は図面のいかなる箇所においても、その異なる用語に置き換えることができる。また、包丁の構成、動作も本考案の各実施形態で説明したものに限定されず、種々の変形実施が可能である。例えば、前述した一実施形態では、包丁１００として牛刀を例示したが、鎌型、ペティナイフ、パン切りナイフ包丁、出刃包丁等、様々な包丁に適用することができる。
【符号の説明】
【００６３】
１００    包丁
１１０    刃部
１２０    柄部
１３０    プライマー処理層
１４０    加飾層
１４１    第１加飾層
１４１ａ    手塗感加飾部
１４１ａ１    薄膜部
１４１ａ２    厚膜部
１４２    第２加飾層
１４２ａ    手塗感加飾部
１４２ａ１    薄膜部
１４２ａ２    厚膜部
１５０    表面保護層
【図１】
0003225519.tif 000003
【図２】
0003225519.tif 000004
【図３】
0003225519.tif 000005
【図４】
0003225519.tif 000006
【図５】
0003225519.tif 000007